(57)【要約】【課題】施工面へ固定し易く、コンクリート構造物などの補強にも容易に利用可能な布型枠を提案する。【解決手段】本発明に係る布型枠は、繊維材１ａ，１ｂから形成した袋状枠１の中に充填材を注入して使用する布型枠であって、袋状枠１の内部に非可撓性の管材１０を配置してその端部に繊維材１ａ，１ｂを固着させると共に、管材１０の管内空間に連通する穴を繊維材１ａ，１ｂに開けてある。この布型枠は、ボルトＢ等の固定具を管材１０に通して使用することができ、管内空間を通し貫通させた固定具で当該布型枠を施工面へ固定することで、構造物Ｃへ容易に付設することができる。【選択図】図４
2019157457.tif 000002
【特許請求の範囲】
【請求項１】
繊維材から形成した袋状枠の中に充填材を注入して使用する布型枠であって、
前記袋状枠の内部に非可撓性の管材を配置して該管材の端部に前記繊維材を固着させると共に、該管材の管内空間に連通する穴を前記繊維材に開けてある、布型枠。
【請求項２】
前記袋状枠の内部に配筋材を配設してある、請求項１に記載の布型枠。
【請求項３】
前記配筋材は、互いに交差する２方向に延伸するように配設してある、請求項２に記載の布型枠。
【請求項４】
前記配筋材は、板状の繊維強化プラスチックから形成されている、請求項２又は３に記載の布型枠。
【請求項５】
請求項１〜４のいずれか１項に記載の布型枠を構造物に付設した付設構造であって、
前記管内空間を通し貫通させた固定具で当該布型枠を施工面へ固定してある、付設構造。
【発明の詳細な説明】
【技術分野】
【０００１】
ここに開示する発明は、内部に充填材を充填して使用する布型枠に関する。
【背景技術】
【０００２】
繊維材を袋状に形成し、その内部にコンクリート、モルタル等の充填材を注入して使用する布型枠は、法面への施工を主眼に製造され、施工面の起伏に追従する柔軟性をもつことが特徴である。このような布型枠において、充填材を注入したときに膨らむ２枚の繊維材がある程度以上離れないように引っ張り留めて厚みを決めるために、特許文献１に開示されているような綴じ紐を備えるもの、また、特許文献２に開示されているように、所定の方向の曲げ強度を増すために、補強用索条を内部に備えたものなどがある。
【０００３】
これら布型枠は、綴じ紐が充填材の膨張圧で１０％以上伸びてしまうため、形状や寸法の安定性に難があり、さらには、ボルト等で施工面に固定できるような固定手段をもっていない。本来、それ自体を直立させて使用することが想定されていないこともあり、コンクリート製の壁や天井などの補強施工に使おうとしても、形状が安定せず、補強施工面に簡単に固定することができない。
【０００４】
特許文献３には、強化繊維シートを使用したシート状の軽量型枠をコンクリート構造物の周りにアンカーで固定し、コンクリート構造物と軽量型枠との間にモルタルを充填して一体化する補強又は補修方法が開示されている。この方法の場合、軽量型枠を固定した後にその端部を別途シール剤で密閉してモルタルの漏れを防止しないと施工できない。もし、このような補強又は補修に布型枠を応用することができれば、施工が楽になると考えられる。
【先行技術文献】
【特許文献】
【０００５】
【特許文献１】特開２０１１−１０６０９６
【特許文献２】特開平１１−３３６０８４
【特許文献３】特開平１１−２５６８３９
【発明の概要】
【発明が解決しようとする課題】
【０００６】
以上の背景に鑑みて本発明は、施工面へ固定し易く、コンクリート構造物などの補強にも容易に利用可能な布型枠を提案する。
【課題を解決するための手段】
【０００７】
本発明に係る布型枠は、繊維材から形成した袋状枠の中に充填材を注入して使用する布型枠であって、その袋状枠の内部に非可撓性の管材を配置してこの管材の端部に繊維材を固着させると共に、該管材の管内空間に連通する穴を繊維材に開けてあることを特徴とする。
【０００８】
この布型枠では、袋状枠の内部に配筋材を配設することができる。配筋材は、互いに交差する２方向に延伸するように配設可能である。好ましくは配筋材は、板状の繊維強化プラスチックとし、屈曲性をもたせるのがよい。
【０００９】
本発明に係る布型枠は、ボルト等の固定具を管材に通して使用することができるので、管内空間を通し貫通させた固定具で当該布型枠を施工面へ固定することで、構造物へ付設することができる。
【発明の効果】
【００１０】
本発明に係る布型枠は、非可撓性の管材が形状や寸法（特に厚さ）を安定させる枠間隔保持材（いわば柱）として機能すると共に、布型枠を固定するための固定手段に利用できるので、施工面への固定が容易であり、且つ、コンクリート構造物などの構造物へ付設してその補強に容易に利用することもできる。
【図面の簡単な説明】
【００１１】
【図１】第１実施形態に係る布型枠の平面図（Ａ）と側面図（Ｂ）。
【図２】第１実施形態に係る布型枠の要部断面図。
【図３】第２実施形態に係る布型枠の平面図。
【図４】第２実施形態に係る布型枠の付設例を断面で示す図。
【図５】第１又は第２実施形態に係る布型枠の壁面への付設例を示す図。
【発明を実施するための形態】
【００１２】
本発明に係る布型枠の第１実施形態について、図１に平面図（Ａ）と側面図（Ｂ）で示している。本実施形態の布型枠は、２枚のシート状の繊維材１ａ，１ｂにより形成した袋状枠１からなる。強化繊維織物の繊維材１ａ，１ｂは、図１Ａ中の左右方向の縁部が接着剤による接着又は縫製、あるいはその両方で互いに接合されている。図１Ａにおいては、この接合部を見分けるために、点線で仮想の境界線を示してある。図１Ａ中の上下方向の縁部も接着、縫製で接合されるが、こちらは、いわゆるマチ付の形態に形成されて厚みが出るようにしてある。繊維材を袋状にする方法はこれに限らず様々な方法があるので、ここでは詳しく言及しない。
【００１３】
この袋状枠１の中にコンクリート、モルタルといった充填材を注入して使用するので、その注入のための注入口２が、図１Ａ中左側の縁部に設けられている。注入口２は、プラスチック又は金属製のパイプを繊維材１ａ，１ｂの間に挟み込んで接着剤により周りを密封することで形成されている。
【００１４】
袋状枠１の内部には、所定の間隔、好ましくは等間隔にして、管材１０が多数配置される。管材１０は、プラスチック又は金属製（好ましくは軽量のプラスチック製）の非可撓性中空パイプで、この管材１０の端部に繊維材１ａ，１ｂを固着させることで、当該管材１０が、繊維材１ａ，１ｂの間隔保持材として機能する。非可撓性の管材１０は、袋状枠１の膨張方向と収縮方向の両方に対して間隔保持の（所定の厚さを保つ）機能を発揮する。管材１０で支持される繊維材１ａ，１ｂには、配置された管材１０の管内空間に連通する穴が開けられていて、管材１０を通しボルト等の固定具を貫通させることができる。
【００１５】
図２に、１つの管材１０の部分について断面図を示す。管材１０の端部（図示の場合は端面）は、繊維材１ａ，１ｂの穴周囲に接着剤で接着されたパッキン材１１に当接させてあり、接着剤で接着してある。例えばワッシャ付きボルトＢを管材１０に通し、反対側からワッシャ付きナットＮで締め込むと、繊維材１ａ，１ｂ−パッキン材１１−管材１０の圧着密閉構造ができあがり、充填材に対して十分な封止性を発揮する。ナットＮがコンクリート壁面などの構造物に設けたプラグアンカーであっても同じ効果を発揮する。つまり、管材１０に通すボルトＢ、あるいはアンカーボルト等は、袋状枠１を構造物へ固定する固定具として使用できる。
【００１６】
当該布型枠では、袋状枠１の内部に配筋材を配設することもできる。この第２実施形態について図３に示す。本実施形態の配筋材は、互いに交差する２方向（図示の場合は縦横）に延伸する縦の配筋材２０と横の配筋材２１とが配設されている。配筋材２０，２１は、接着剤により繊維材１ａ，１ｂの内面に接着する。両者の交差部分では、縦の配筋材２０の上を横の配筋材２１が越えて延伸する（あるいはこの逆）。配筋材２０，２１は、薄板状の繊維強化プラスチックから形成されており、屈曲性をもつ。この屈曲性により袋状枠１を折り畳んで持ち運ぶことができる。また、施工面の起伏に合わせて折り曲げて使用することも可能になる。例えば、前述の特許文献２にあるような棒状にした補強用索条の場合、折り曲げることができないので、折り畳んでの可搬性を考えると、縦横の２方向に配筋することができない。したがって、特許文献２の場合は縦か横の１方向配筋に限られるが、そうすると布型枠の縦横均等な強度が保てないという不具合が生じる。図３の第２実施形態の場合、屈曲性をもつ板状の繊維強化プラスチックから配筋材２０，２１を形成することで、縦横の２方向配筋と折り畳んでの可搬性との両方を満足するものとなる。また、板状にすることでコンクリートの付着面積が広くなり、コンクリートの食いつきが良くなるという利点もある。
【００１７】
第２実施形態に係る布型枠の付設例を図４に示す。この例は、コンクリート構造物Ｃの側面に布型枠を固定し、立設したものである。充填材を注入する前の袋状枠１は、その管材１０を通し固定具としてのボルトＢ（又はアンカーボルト）を、コンクリート構造物Ｃに打ち込んだプラグアンカー（グリップアンカー）Ｐへねじ込むことで、構造物側面に付設される。各管材１０は、当該布型枠により形成するコンクリート体に必要な厚さに従って長さが決められ、作製されている。コンクリート構造物Ｃよりも上に突出する袋状枠１の部分にある、固定されない管材１０は、図２のようにボルトＢ及びナットＮで締め上げる。このとき、配筋材２０，２１があることにより、袋状枠１の起立状態が維持されている。全ての管材１０にボルトＢを適用した後、注入口２を通して充填材のコンクリートをポンプ等で注入する。非可撓性の管材１０が所定間隔で多数配置されているので、これらが、繊維材１ａ，１ｂの間隔拡張、すなわち袋状枠１の厚さ方向の膨張を規制する枠間隔保持材として機能し、コンクリート注入からその後の養生にかけて、袋状枠１の形状、寸法を安定させる。施工後の当該布型枠は、注入されたコンクリートと一体となってコンクリート体を形成し、そのまま残される。
【００１８】
図５には、別の付設例を示す。この付設例は、第１又は第２実施形態に係る布型枠を使用したコンクリート構造物Ｃ’の補強構造で、該コンクリート構造物Ｃ’は、１本の柱と２枚の壁を構成しているものとする。上述のとおり作製された袋状枠１は、全管材１０を利用して、ボルトＢ及びプラグアンカーによりコンクリート構造物Ｃ’に固定される。第２実施形態に係る袋状枠１の場合は配筋材２０，２１を備えているが、上述のように配筋材２０，２１は屈曲性をもつので、コンクリート構造物Ｃ’の施工面起伏にぴったり沿わせて固定することができる。このように、第１及び第２実施形態に係る布型枠は、ボルトＢという簡単な固定具で容易に施工することができる。袋状枠１の固定後、注入口２からコンクリートを注入し養生すれば、布型枠による補強構造が完成する。このときにも、上述したとおり、非可撓性の管材１０が布型枠の形状、寸法を安定させるべく機能する。
【符号の説明】
【００１９】
１  袋状枠
１ａ，１ｂ  繊維材
２  注入口
１０  管材
１１  パッキン
２０，２１  配筋材
【図１】
2019157457.tif 000003
【図２】
2019157457.tif 000004
【図３】
2019157457.tif 000005
【図４】
2019157457.tif 000006
【図５】
2019157457.tif 000007